(57)【特許請求の範囲】
【請求項１】
左足の足関節より爪先側の部分に固定される左足用固定部と、右足の足関節より爪先側の部分に固定される右足用固定部と、前記左足用固定部および前記右足用固定部の間に配置されて前記左足用固定部および前記右足用固定部を連結する連結部とを有し、
前記左足用固定部および前記右足用固定部は、前記連結部のみによって連結され、
前記連結部は、伸縮性がある弾性材料によって形成されていることを特徴とするドルフィンキック練習具。
【請求項２】
前記連結部は、前記左足用固定部に固定された前記左足の前記爪先と、前記右足用固定部に固定された前記右足の前記爪先との間の距離が前記左足の踵と、前記右足の踵との間の距離より短くなる状態で前記左足用固定部および前記右足用固定部を連結することを特徴とする請求項１に記載のドルフィンキック練習具。
【請求項３】
伸縮性がある弾性材料によって形成されていることを特徴とする請求項１または請求項２に記載のドルフィンキック練習具。
【発明の詳細な説明】
【技術分野】
【０００１】
本発明は、水泳のドルフィンキックを練習する道具であるドルフィンキック練習具に関する。
【背景技術】
【０００２】
従来、ドルフィンキックの練習具として、足ヒレ（フィン）が知られている（例えば、特許文献１参照。）。足ヒレは、左足および右足のそれぞれに装着されることによって、ドルフィンキック時に足に加わる水の抵抗を増加させることができるので、脚の筋力を増加させることができるとともに、練習者のドルフィンキックの感覚を向上させることができる。
【０００３】
足ヒレ以外のドルフィンキックの練習具として、ビート板が知られている（例えば、特許文献２参照。）。練習者は、ビート板を両脚の大腿部の間に挟んでドルフィンキックを練習することによって、左脚および右脚を同時に動かす感覚を習得することができる。
【特許文献１】特開２００１−１７０２１１号公報
【特許文献２】特開平９−２９９５０８号公報
【発明の開示】
【発明が解決しようとする課題】
【０００４】
しかしながら、足ヒレは、左脚および右脚がそれぞれ独立して運動することができる状態で練習者に練習を行わせるものであるため、左脚および右脚を同時に動かす感覚を習得することができず、場合によっては左脚および右脚を交互に動かしてしまう悪い癖を付けてしまうこともあり、左脚および右脚を同時に動かすドルフィンキックの練習具としては練習者を十分に満足させるものではない。また、足ヒレは、ドルフィンキック時に足に加わる水の抵抗を増加させるので、場合によっては練習時に膝や足などに捻挫などの故障を生じさせてしまうこともある。
【０００５】
また、ビート板は、練習者が両脚の大腿部の間に挟んでおかなければならず左脚および右脚の大腿部が固定されているので、左脚および右脚を単に同時に上下に動かすドルフィンキックを習得することはできるが、関節の回旋を入れた効率的なドルフィンキックを習得することができない。
【０００６】
そこで、本発明は、関節の回旋を入れて左脚および右脚を同時に動かす効率的なドルフィンキックを習得することができるドルフィンキック練習具を提供することを目的とする。
【課題を解決するための手段】
【０００７】
本発明のドルフィンキック練習具は、左足の足関節より爪先側の部分に固定される左足用固定部と、右足の足関節より爪先側の部分に固定される右足用固定部と、前記左足用固定部および前記右足用固定部の間に配置されて前記左足用固定部および前記右足用固定部を連結する連結部とを有し、前記左足用固定部および前記右足用固定部は、前記連結部のみによって連結され、前記連結部は、伸縮性がある弾性材料によって形成されていることを特徴とする。
【０００８】
この構成により、本発明のドルフィンキック練習具は、左足用固定部に固定された左足と、右足用固定部に固定された右足とを連結部によって互いに固定するので、左脚および右脚を同時に動かすドルフィンキックを習得することができる。また、本発明のドルフィンキック練習具は、足の足関節より爪先側の部分のみを固定するので、足関節、膝関節および股関節の全てを自然に使用し関節の回旋を入れた効率的なドルフィンキックを習得することができる。また、本発明のドルフィンキック練習具は、連結部に伸縮性があるので、左足用固定部に固定された左足と、右足用固定部に固定された右足との相対位置をある程度規定しつつも、伸縮性がない場合と比較して、左足および右足の相対位置の自由度を向上することができる。したがって、本発明のドルフィンキック練習具は、足関節、膝関節および股関節の全てを自然に使用したドルフィンキックを更に習得し易くすることができる。
【０００９】
また、本発明のドルフィンキック練習具の前記連結部は、前記左足用固定部に固定された前記左足の前記爪先と、前記右足用固定部に固定された前記右足の前記爪先との間の距離が前記左足の踵と、前記右足の踵との間の距離より短くなる状態で前記左足用固定部および前記右足用固定部を連結することを特徴とすることが好ましい。
【００１０】
この構成により、本発明のドルフィンキック練習具は、左足の爪先と、右足の爪先との間の距離が左足の踵と、右足の踵との間の距離より短い状態で行われる自然なフォームのドルフィンキックを習得することができる。
【００１１】
また、本発明のドルフィンキック練習具は、伸縮性がある弾性材料によって形成されていることを特徴とするが好ましい。
【００１２】
この構成により、本発明のドルフィンキック練習具は、伸縮性があるので、左足用固定部に固定された左足と、右足用固定部に固定された右足との相対位置をある程度規定しつつも、伸縮性がない場合と比較して、左足および右足の相対位置の自由度を向上することができる。したがって、本発明のドルフィンキック練習具は、足関節、膝関節および股関節の全てを自然に使用したドルフィンキックを更に習得し易くすることができる。
【発明の効果】
【００１３】
本発明によれば、関節の回旋を入れて左脚および右脚を同時に動かす効率的なドルフィンキックを習得することができるドルフィンキック練習具を提供することができる。
【発明を実施するための最良の形態】
【００１４】
以下、本発明の一実施の形態について、図面を用いて説明する。
【００１５】
まず、本実施の形態に係るドルフィンキック練習具の構成について説明する。
【００１６】
図１は、本実施の形態に係るドルフィンキック練習具１０の斜視図であって、左足８１および右足９１に装着された状態の図である。図２は、ドルフィンキック練習具１０の正面図である。図３は、ドルフィンキック練習具１０の平面図である。
【００１７】
図１〜図３に示すように、ドルフィンキック練習具１０は、左足８１の足関節８１ａより爪先８１ｂ側の部分に固定される左足用固定部１１と、右足９１の足関節９１ａより爪先９１ｂ側の部分に固定される右足用固定部１２と、左足用固定部１１および右足用固定部１２を連結する連結部１３とを有している。ドルフィンキック練習具１０は、ゴムや発泡性ゴムなどの伸縮性があって耐水性もある弾性材料によって形成されており、上方から観察すると等脚台形の形状をしている。
【００１８】
左足用固定部１１は、左足８１の爪先８１ｂを挿入する爪先挿入口１１ａと、爪先挿入口１１ａに挿入した爪先８１ｂを出す爪先出口１１ｂとを有した筒状の部分である。左足用固定部１１の内部の大きさは、左足８１の挿入部分より小さく形成されている。爪先挿入口１１ａは、ドルフィンキック練習具１０を上方から観察したときの等脚台形の形状の平行な２辺のうち長い辺の部分に形成されている。爪先出口１１ｂは、ドルフィンキック練習具１０を上方から観察したときの等脚台形の形状の平行な２辺のうち短い辺の部分に形成されており、爪先挿入口１１ａより大きい。
【００１９】
右足用固定部１２は、右足９１の爪先９１ｂを挿入する爪先挿入口１２ａと、爪先挿入口１２ａに挿入した爪先９１ｂを出す爪先出口１２ｂとを有した筒状の部分である。右足用固定部１２の内部の大きさは、右足９１の挿入部分より小さく形成されている。爪先挿入口１２ａは、ドルフィンキック練習具１０を上方から観察したときの等脚台形の形状の平行な２辺のうち長い辺の部分に形成されている。爪先出口１２ｂは、ドルフィンキック練習具１０を上方から観察したときの等脚台形の形状の平行な２辺のうち短い辺の部分に形成されており、爪先挿入口１２ａより大きい。
【００２０】
連結部１３は、左足用固定部１１に固定された左足８１の爪先８１ｂと、右足用固定部１２に固定された右足９１の爪先９１ｂとの間の距離が左足８１の踵８１ｃと、右足９１の踵９１ｃとの間の距離より短くなる状態で左足用固定部１１および右足用固定部１２を連結している。すなわち、連結部１３は、上方から観察すると、左足用固定部１１の爪先挿入口１１ａや右足用固定部１２の爪先挿入口１２ａの側が平行な２辺のうち長い辺であり、左足用固定部１１の爪先出口１１ｂや右足用固定部１２の爪先出口１２ｂの側が平行な２辺のうち短い辺である等脚台形の形状をしている。
【００２１】
次に、ドルフィンキック練習具１０の製造方法について説明する。
【００２２】
図４は、ドルフィンキック練習具１０の分解斜視図である。
【００２３】
ドルフィンキック練習具１０は、図４に示すような等脚台形の形状である平らな２枚の弾性部材１４が延在方向の端部１４ａと、連結部１３（図２参照。）になる中央部１４ｂとを互いに縫い合わされることによって、図３に示すように製造される。
【００２４】
次に、ドルフィンキック練習具１０の使用方法について説明する。
【００２５】
まず、図１に示すように、練習者は、左足８１の爪先８１ｂを左足用固定部１１の爪先挿入口１１ａから挿入して爪先出口１１ｂから出すことによって左足８１に左足用固定部１１を固定し、右足９１の爪先９１ｂを右足用固定部１２の爪先挿入口１２ａから挿入して爪先出口１２ｂから出すことによって右足９１に右足用固定部１２を固定する。
【００２６】
ここで、左足用固定部１１は、内部の大きさが左足８１の挿入部分より小さく形成されているので、左足８１が挿入されるときに伸びて、左足８１を締め付けて固定する。左足用固定部１１および左足８１について説明したが、右足用固定部１２および右足９１についても同様である。
【００２７】
次いで、練習者は、ドルフィンキック練習具１０を装着したまま、水中でドルフィンキックの練習を行う。
【００２８】
図５は、ドルフィンキック練習具１０が足に装着されている状態で膝関節が曲げられている状態の下半身の側面図である。図６は、ドルフィンキック練習具１０が足に装着されている状態で膝関節が曲げられている状態の下半身の上面図である。図７は、ドルフィンキック練習具１０が足に装着されている状態で膝関節が伸ばされている状態の下半身の側面図である。図８は、ドルフィンキック練習具１０が足に装着されている状態で膝関節が伸ばされている状態の下半身の上面図である。
【００２９】
図５および図６に示すように左脚８２の膝関節８２ａと、右脚９２の膝関節９２ａとが曲げられているとき、膝関節８２ａおよび膝関節９２ａは、図７および図８に示すように膝関節８２ａおよび膝関節９２ａが伸ばされているときと比較して、互いの間が開いている。これは、左脚８２の股関節８２ｂと、右脚９２の股関節９２ｂとが回旋しているためである。
【００３０】
また、膝関節８２ａおよび膝関節９２ａは、人体の構造上、図７および図８に示すように伸び切っているとき、回旋していることが知られている。
【００３１】
また、足関節８１ａ、９１ａも、人体の構造上、図５〜図８に示すように伸びているとき、左足８１の爪先８１ｂと、右足９１の爪先９１ｂとの間の距離が左足８１の踵８１ｃと、右足９１の踵９１ｃとの間の距離より短くなることが知られている。
【００３２】
このように、ドルフィンキックにおいては、足関節８１ａ、９１ａ、膝関節８２ａ、９２ａおよび股関節８２ｂ、９２ｂが回旋を含む様々な動きを行っている。ドルフィンキック練習具１０は、左足８１および右足９１を足関節８１ａ、９１ａより爪先８１ｂ、９１ｂ側で固定するので、ドルフィンキック時の足関節８１ａ、９１ａ、膝関節８２ａ、９２ａおよび股関節８２ｂ、９２ｂの動きを不自然に妨げることがない。
【００３３】
以上に説明したように、ドルフィンキック練習具１０は、左足用固定部１１に固定された左足８１と、右足用固定部１２に固定された右足９１とを連結部１３によって互いに固定するので、左脚８２および右脚９２を同時に動かすドルフィンキックを習得することができる。
【００３４】
また、ドルフィンキック練習具１０は、足の足関節８１ａ、９１ａより爪先８１ｂ、９１ｂ側の部分のみを固定するので、足関節８１ａ、９１ａ、膝関節８２ａ、９２ａおよび股関節８２ｂ、９２ｂの全てを自然に使用し関節の回旋を入れた効率的なドルフィンキックを習得することができる。
【００３５】
また、ドルフィンキック練習具１０は、連結部１３が台形状であるので、左足８１の爪先８１ｂと、右足９１の爪先９１ｂとの間の距離が左足８１の踵８１ｃと、右足９１の踵９１ｃとの間の距離より短い状態で行われる自然なフォームのドルフィンキックを習得することができる。
【００３６】
また、ドルフィンキック練習具１０は、弾性材料によって形成されており伸縮性があるので、左足用固定部１１に固定された左足８１と、右足用固定部１２に固定された右足９１との相対位置をある程度規定しつつも、伸縮性がない場合と比較して、左足８１および右足９１の相対位置の自由度を向上することができる。したがって、ドルフィンキック練習具１０は、足関節８１ａ、９１ａ、膝関節８２ａ、９２ａおよび股関節８２ｂ、９２ｂの全てを自然に使用したドルフィンキックを更に習得し易くすることができる。
【００３７】
なお、ドルフィンキック練習具１０は、本実施の形態に記載したように弾性材料によって形成されていることが好ましいが、もちろん弾性材料以外の材料によって形成されていても良い。
【００３８】
また、ドルフィンキック練習具１０は、本実施の形態に記載したように装着者の左足８１の爪先８１ｂと、右足９１の爪先９１ｂとの間の距離が左足８１の踵８１ｃと、右足９１の踵９１ｃとの間の距離より短くなる形状であることが好ましいが、もちろん他の形状であっても良い。
【図面の簡単な説明】
【００３９】
【図１】本発明の第一の実施の形態に係るドルフィンキック練習具の斜視図であって、足に装着された状態の図である。
【図２】図１に示すドルフィンキック練習具の正面図である。
【図３】図１に示すドルフィンキック練習具の平面図である。
【図４】図１に示すドルフィンキック練習具の分解斜視図である。
【図５】図１に示すドルフィンキック練習具が足に装着されている状態で膝関節が曲げられている状態の下半身の側面図である。
【図６】図１に示すドルフィンキック練習具が足に装着されている状態で膝関節が曲げられている状態の下半身の上面図である。
【図７】図１に示すドルフィンキック練習具が足に装着されている状態で膝関節が伸ばされている状態の下半身の側面図である。
【図８】図１に示すドルフィンキック練習具が足に装着されている状態で膝関節が伸ばされている状態の下半身の上面図である。
【符号の説明】
【００４０】
１０  ドルフィンキック練習具
１１  左足用固定部
１２  右足用固定部
１３  連結部
８１  左足
８１ａ  足関節
８１ｂ  爪先
８１ｃ  踵
９１  右足
９１ａ  足関節
９１ｂ  爪先
９１ｃ  踵
【要約】
【課題】  関節の回旋を入れて左脚および右脚を同時に動かす効率的なドルフィンキックを習得することができるドルフィンキック練習具を提供する。
【解決手段】  ドルフィンキック練習具１０は、左足８１の足関節８１ａより爪先８１ｂ側の部分に固定される左足用固定部１１と、右足９１の足関節９１ａより爪先９１ｂ側の部分に固定される右足用固定部１２と、左足用固定部１１および右足用固定部１２を連結する連結部１３とを有することを特徴とする。
【選択図】  図１【図１】
0004109706.tif 000002
【図２】
0004109706.tif 000003
【図３】
0004109706.tif 000004
【図４】
0004109706.tif 000005
【図５】
0004109706.tif 000006
【図６】
0004109706.tif 000007
【図７】
0004109706.tif 000008
【図８】
0004109706.tif 000009